(57)【要約】      （修正有）【課題】容易に複数のキャリア・ネットワークに対応することが可能な電話交換システムを提供する。【解決手段】電話装置２５Ｍ，２５Ａ，２５Ｂが同一ハードウェアを有してＴＣＰ／ＩＰによる通信を実行するＬＡＮ２４に接続する。ＬＡＮ２４には、キャリア・ネットワーク２１Ａ，Ｂに対応のプログラムを用いるルータ２２Ａ，Ｂが接続される。電話装置２５Ｍがメイン装置として一方に電話機２６Ｎを他方に電話装置２５Ａ，２５Ｂを接続して呼接続処理のみを行う。電話装置２５Ａが、サブ装置として一方でキャリア・ネットワーク２１Ａに対応のプログラムを用いるルータ２２Ａ、他方で電話装置２５Ｍそれぞれに対応の音声データ用のプログラムを用いて接続処理する。電話装置２５Ｂも同様であり、キャリア・ネットワーク２１Ｂに対応する。【選択図】図２
2008131465.tif 000002
【特許請求の範囲】
【請求項１】
複数のキャリア・ネットワークそれぞれに接続するルータと、該ルータを外線として接続する一つのローカル・エリア・ネットワーク（以後、ＬＡＮ）と、一方に該ＬＡＮと接続してＬＡＮ対応プロトコルを用い、他方に内線となる複数の電話機を接続して呼制御する複数の電話装置とを備える電話交換システムにおいて、前記複数の電話装置のうちの少なくとも一つがメイン装置となり電話機とアクセスして呼処理を制御し、残りの電話装置それぞれがサブ装置となり一つの前記ルータに対応するプロトコルを用いて前記メイン装置と該当ルータとの間のメッセージを転送処理することを特徴とする電話交換システム。
【請求項２】
請求項１に記載の電話交換システムにおいて、全ての複数の前記電話装置が同一ハードウェアで構成されることを特徴とする電話交換システム。
【請求項３】
請求項１に記載の電話交換システムにおいて、少なくとも前記ＬＡＮにおけるルータとサブ装置との間の通信は、音声データの通信制御プロトコルにセッション・イニシエイション・プロトコル（ＳＩＰ）を用いることを特徴とする電話交換システム。
【請求項４】
請求項１から請求項３までの一つに記載の電話交換システムにおいて、前記電話装置がボタン電話装置の主装置であることを特徴とする電話交換システム。
【請求項５】
一方に外線としてルータに接続するＬＡＮを、他方に内線として電話機を、それぞれ接続して呼接続処理を制御する電話交換システムに用いられるボタン電話装置の主装置であって、前記ＬＡＮがＴＣＰ／ＩＰネットワークであり、前記主装置は、複数備えられかつそれらは同一ハードウェアを有し、かつ、前記呼接続処理の制御に加えて、前記ＬＡＮとＴＣＰ／ＩＰでインタフェースする際、ＬＡＮから受けたＴＣＰメッセージを解析して外線接続の場合にはそのＴＣＰメッセージを受け接続先キャリア・ネットワークに適合したＳＩＰメッセージに作成してＬＡＮに向け送出し、ＬＡＮから受けたＳＩＰメッセージを解析して内線接続の場合にはそのＳＩＰメッセージを受け呼接続制御に適合したＴＣＰメッセージに作成してＬＡＮに向け送出するように、プログラム制御されるモジュールをＳＩＰ対応部として含むことを特徴とするボタン電話装置の主装置。
【請求項６】
請求項５に記載のボタン電話装置の主装置において、複数の前記主装置が前記ＬＡＮに接続して一つのシステムを形成し、少なくとも一つが電話機とアクセスして呼処理を制御するメイン装置となり、残りの電話装置それぞれが一つの前記ルータに対応するプロトコルを用いて前記メイン装置と該当ルータとの間のメッセージを転送処理するそれぞれのプログラムを有するサブ装置となることを特徴とするボタン電話装置の主装置。
【請求項７】
請求項６に記載のボタン電話装置の主装置において、前記メイン装置は、前記ＬＡＮに接続する外線ポートを複数のキャリア・ネットワークそれぞれに対応してグループ分けし、一方に接続する前記電話機から発呼の際に指定を受ける外線ポートを介して前記ＬＡＮとの間で所定のＴＣＰメッセージを授受する手段を有することを特徴とするボタン電話装置の主装置。
【請求項８】
請求項６に記載のボタン電話装置の主装置において、前記サブ装置は、前記ＳＩＰ対応部により前記ＬＡＮを介して送られる自分に割り当てられた外線ポート対応のＴＣＰメッセージ及びＳＩＰメッセージそれぞれを解析してＴＣＰメッセージをＳＩＰメッセージにまたＳＩＰメッセージをＴＣＰメッセージに相互変換して前記ＬＡＮに送出する手段を有することを特徴とするボタン電話装置の主装置。
【発明の詳細な説明】
【技術分野】
【０００１】
本発明は、電話機が、複数のキャリア（電気通信事業者）により提供され、それぞれ異なるセッション・イニシエイション・プロトコル（以後、ＳＩＰと略称する）を用いる複数のキャリア・ネットワークに容易にアクセス可能な電話交換システムに関するものである。
【背景技術】
【０００２】
近年、ＴＣＰネットワークを使って音声データを送受信するＶｏＩＰを応用したインターネット電話などで通話制御プロトコルに、上記ＳＩＰが広く用いられてきている。
【０００３】
従来のＳＩＰを用いた電話交換システムには、例えば、特開２００６−１０９１１０号公報（特許文献１）に開示されたＳＩＰサーバを含むものがある。
【０００４】
図１には、企業内通信システムとして構築されたＳＩＰ内線網が示されている。このＳＩＰ内線網では、一つの内線網ＳＩＰサーバ１０が、一方で公衆網としてインタフェースするキャリア・ネットワークと接続し、他方では独自の内線網を構築するキャリア・ネットワーク１１Ａ，１１Ｂと接続している。各キャリア・ネットワーク１１Ａ，１１Ｂには、独自のＳＩＰに従うため、それぞれのプロトコルを解析するルータ１２Ａ，１２Ｂが接続される。従って、ＩＰ電話機１３Ａは、ルータ１２Ａ，１２Ｂのいずれかに接続されることになり、図示される例ではルータ１２Ａに接続されている。
【０００５】
一方、家庭においても企業におけると同様、インターネットを利用した電話回線が普及し始めている。すなわち、複数の電話機を収容してキャリア・ネットワークに接続するボタン電話装置（キーテレホン）のような一つの小規模電話交換装置がルータを介してそのキャリア・ネットワークに接続される。
【０００６】
上述した電話交換システムにおいて電話回線に接続されるボタン電話装置を配備する、例えば図１に示されるような場合、そのボタン電話装置は、ルータ１２ＢにＬＡＮ１４を介して電話装置１５としてＩＰ電話機１３Ｂと共に接続される。この電話装置１５は子機として電話機１６を接続できる。
【０００７】
また、一つの電話装置が、直接、複数のキャリア・ネットワークに接続する場合が想定される。その場合、図１において、ルータ１２Ａ，１２Ｂの両者がＬＡＮ１４に接続してＬＡＮプロトコルを用いると共にＳＩＰを適用することができる。しかし、ＳＩＰをサポートする各キャリア・ネットワークで受信するポート番号が一般的にＵＤＰ／ＩＰの「５０６０番」であるため、一つの電話装置が複数のルータとの間で呼処理するということは、その制御に制約が多いので、その電話装置の構成が複雑化される。
【０００８】
【特許文献１】特開２００６−１０９１１０号公報（図１）
【発明の開示】
【発明が解決しようとする課題】
【０００９】
解決しようとする課題は、複数のキャリア・ネットワークとアクセスして呼処理する場合、一つの電話装置ではその制御の複雑化は免れないことである。
【課題を解決するための手段】
【００１０】
本発明は、複数のキャリア・ネットワークとアクセスして呼処理する場合でも、電話装置の構成を簡素化してその制御を容易にする電話交換システムを提供することを目的とする。
【００１１】
そのため、本発明による電話交換システムに備えられるボタン電話装置又はキーテレホンなどの主装置のような電話装置が、従来のＴＣＰ／ＩＰ対応処理手段に加えて、ＳＩＰメッセージの作成及び解析をプログラムで実行するＳＩＰ対応部をモジュールで備えることを主要な特徴とする。
【００１２】
すなわち一般的には、複数のキャリア・ネットワークそれぞれに接続するルータと、該ルータを外線として接続する一つのＬＡＮと、一方に該ＬＡＮと接続してＬＡＮ対応プロトコルを用い、他方に内線となる複数の電話機を接続して呼制御する複数の電話装置とを備える電話交換システムにおいて、前記複数の電話装置のうちの少なくとも一つがメイン装置となり電話機とアクセスして呼処理を制御し、残りの電話装置それぞれがサブ装置となり一つの前記ルータに対応するプロトコルを用いて前記メイン装置と該当ルータとの間のメッセージを転送処理することを特徴としている。
【００１３】
このような構成により、一方の内線側に複数電話機を接続する一つの電話交換システムが、他方の外線側で複数のキャリア・ネットワークとアクセスすることができる。
【００１４】
更に、全ての複数の前記電話装置が同一ハードウェアで構成されることが、システム構成を単純化されるので設備設計及び保守を容易にする。また、少なくとも前記ＬＡＮにおけるルータとサブ装置との間の通信は、音声データの通信制御プロトコルにＳＩＰを用いることにより、最近の通信事情に合致させることができる。また、同一ハードウェアのため、システムの適切な規模として、これらの電話装置に、ボタン電話装置の主装置を用いることが望ましい。
【００１５】
上記電話交換システムにおいて、前記電話装置が一方に外線としてルータに接続するＬＡＮを、他方に内線として電話機を、それぞれ接続して呼接続処理を制御する電話交換システムに用いられるボタン電話装置の主装置であり、また、前記ＬＡＮがＴＣＰ／ＩＰネットワークである。そして、前記主装置は、複数備えられかつそれらは同一ハードウェアを有し、かつ、前記呼接続処理の制御に加えて、前記ＬＡＮとＴＣＰ／ＩＰでインタフェースする際、ＬＡＮから受けたＴＣＰメッセージを解析して外線接続の場合にはそのＴＣＰメッセージを受け接続先キャリア・ネットワークに適合したＳＩＰメッセージに作成してＬＡＮに向け送出し、ＬＡＮから受けたＳＩＰメッセージを解析して内線接続の場合にはそのＳＩＰメッセージを受け呼接続制御に適合したＴＣＰメッセージに作成してＬＡＮに向け送出するように、プログラム制御されるモジュールをＳＩＰ対応部として含むことを特徴とする。
【００１６】
また、複数の前記主装置が前記ＬＡＮに接続して一つのシステムを形成し、少なくとも一つが電話機とアクセスして呼処理を制御するメイン装置とし、残りの電話装置それぞれが一つの前記ルータに対応するプロトコルを用いて前記メイン装置と該当ルータとの間のメッセージを転送処理するそれぞれのプログラムを有するサブ装置とすることができる。上記メイン装置は、前記ＬＡＮに接続する外線ポートを複数のキャリア・ネットワークそれぞれに対応してグループ分けし、一方に接続する前記電話機から発呼の際に指定を受ける外線ポートを介して前記ＬＡＮとの間で所定のＴＣＰメッセージを授受する手段を有する。また、上記サブ装置は、前記ＳＩＰ対応部により前記ＬＡＮを介して送られる自分に割り当てられた外線ポート対応のＴＣＰメッセージ及びＳＩＰメッセージそれぞれを解析してＴＣＰメッセージをＳＩＰメッセージにまたＳＩＰメッセージをＴＣＰメッセージに相互変換して前記ＬＡＮに送出する手段を有する。
【００１７】
このような構成により、同一ハードウェアの複数の電話装置の少なくとも一つを主装置として従来同様にソフトウェアにより呼制御処理をさせ、残りの電話装置をキャリア・ネットワークに適応するサブ装置としてキャリア・ネットワークとの間でのメッセージ転送をソフトウェアにより制御することができる。
【発明の効果】
【００１８】
本発明による電話交換システムは、同一ハードウェアの複数の電話装置の少なくとも一つを主装置とし、残りの電話装置をキャリア・ネットワークに適応するサブ装置としてそれぞれをソフトウェア制御するため、一つのシステムで複数のキャリア・ネットワークを利用することができるのみならず、それぞれの電話装置では構成もその制御も単純化される。特に、メイン装置のみが呼処理部分を受け持つので、呼処理の管理を効率的に運用することができ、これは一つのメイン装置のみの場合には更に効率的である。更に、追加される新規のプロトコルに対しても、それに応じるプログラムを有するサブ装置を用意するのみで済むので、その対応が容易である。
【発明を実施するための最良の形態】
【００１９】
複数のキャリア・ネットワークとアクセスして呼処理する場合でも、電話装置の構成を簡素化してその制御を容易にする電話交換システムを提供するという目的を、複数の電話装置を呼制御部とプロトコルに基づくメッセージ変換部との両方を有する同一構成とし、単機能のプログラム制御により実現した。すなわち、キャリア・ネットワークそれぞれに対応して設けられるルータと複数の上記電話装置とを一つのＬＡＮに接続してシステムが形成される。電話装置の少なくとも一つは、電話機を接続し、メイン装置として呼制御処理を実行させる。残りの電話装置は、サブ装置となり、それぞれを一つの上記ルータに対応させてそのルータと上記メイン装置との間のメッセージを転送する。従って、それぞれの電話装置は、単機能のプログラム制御でよい。
【実施例１】
【００２０】
本発明の実施例１について図２を参照して説明する。
【００２１】
図２は本発明による電話交換システムの実施の一形態をブロックで示す説明図である。
【００２２】
図２では、二つのキャリア・ネットワーク２１Ａ，２１Ｂ、ルータ２２Ａ，２２Ｂ、ＩＰ電話機２３Ａ、ＬＡＮ２４、電話装置２５Ａ，２５Ｂ，２５Ｍ、及び電話機２６Ｎが示されている。
【００２３】
キャリア・ネットワーク２１Ａ，２１Ｂは、キャリア（電気通信事業者）Ａ，Ｂそれぞれが提供するネットワークであり、通常、直接又は他のキャリア・ネットワークを介して接続され、インターネットを形成している。一方、電話のように音声データを送受信する場合に、例えば、ＴＣＰ／ＩＰネットワークに対して用いられるＶｏＩＰを応用したＳＩＰ（セッション・イニシエイション・プロトコル）が普及しつつある。また、これら同一プロトコルを使用する場合でも、キャリア・ネットワーク２１Ａ，２１Ｂそれぞれで独自の制御があるので、ルータ２２Ａ，２２Ｂにはそのネットワークそれぞれに適合したプロトコルを有することが必要となる。従って、ルータ２２Ａ，２２Ｂにはキャリア・ネットワーク２１Ａ，２１Ｂそれぞれに適合したプロトコルを用いる電話装置２５Ａ，２５Ｂがアクセスできる。
【００２４】
このため、ルータ２２Ａは、キャリア・ネットワークＡで転送されるＳＩＰメッセージを自己対応のＳＩＰを用いて取り込み解析し、結果を電話装置２５Ａ宛てにＬＡＮ２４を介して送出する。一方、ＬＡＮ２４を介して電話装置２５Ａから転送されるＳＩＰメッセージを、ルータ２２Ａは、自己対応のＳＩＰを用いて取り込み解析し、キャリア・ネットワークＡに送出する。同様にして、ルータ２２Ｂは、キャリア・ネットワークＡからＳＩＰメッセージを取り込み解析し、電話装置２５Ｂ宛てにＬＡＮ２４を介して送出し、一方で、ＬＡＮ２４を介して電話装置２５Ｂから受けるＳＩＰメッセージを、キャリア・ネットワークＢに送出する。
【００２５】
ＩＰ電話機２３Ａは、インターネット接続のためキャリアに対して登録されるので、例えば、キャリア・ネットワーク２１Ａに対して加入者登録されている場合、その発呼又は着呼をＬＡＮ２４を介してそのプロトコルに適合するルータ２２Ａとインタフェースして処理する。
【００２６】
ＬＡＮ２４は、例えばＴＣＰ／ＩＰネットワークのイーサネット（登録商標）であり、この電話交換システム固有の通信プロトコルとしてイーサＩＰが用いられる。
【００２７】
電話装置２５Ａ，２５Ｂ，２５Ｍそれぞれは、ボタン電話装置の主装置であり、同一ハードウェア構成であるが、サブ装置２５Ａ、サブ装置２５Ｂ、及びメイン装置２５Ｍそれぞれの機能をプログラムにより処理している。すなわち、キャリア・ネットワーク２１Ａ，２１Ｂ、ルータ２２Ａ，２２Ｂ、及び電話装置２５Ａ，２５Ｂそれぞれは、キャリアＡ又はキャリアＢそれぞれに対応するプロトコルを用いる。以後、電話装置２５Ａ，２５Ｂ，２５Ｍそれぞれは、サブ装置２５Ａ、サブ装置２５Ｂ、及びメイン装置２５Ｍとして説明する。
【００２８】
サブ装置２５Ａはキャリア・ネットワーク２１Ａに適合するプロトコルを用いるのでＬＡＮ２４を介してルータ２２Ａとアクセスできる。同様に、サブ装置２５Ｂはキャリア・ネットワーク２１Ｂに適合するプロトコルを用いるのでＬＡＮ２４を介してルータ２２Ｂとアクセスできる。すなわち、サブ装置２５Ａ，２５Ｂそれぞれは、ＬＡＮ２４上で、自分の外線ポート上のＴＣＰメッセージを取り込んで解析し、自己対応のＳＩＰを用いてＳＩＰメッセージに作成しルータ２２Ａ又は２２Ｂ宛てに転送する。同様に、サブ装置２５Ａ，２５Ｂそれぞれは、ＬＡＮ２４上で、自分のＳＩＰに適合するＳＩＰメッセージを取り込んで解析し、宛先内線番号を有するＴＣＰメッセージに変換して送出する。
【００２９】
メイン装置２５Ｍは、電話機２６Ｎと接続して呼処理を制御する。発呼の際、メイン装置２５Ｍは、電話機２６Ｎから捕捉外線先としてキャリア・ネットワーク２１Ａ，２１Ｂ何れかの指定を外線ポート位置で受け、その外線ポート位置により指定された宛先サブ装置２５Ａ又は２５Ｂに宛てたＴＣＰメッセージを、ＬＡＮ２４上に送出する。キャリア・ネットワーク２１Ａ，２１Ｂから着呼した場合は、ＬＡＮ２４上に自己の内線番号宛てのＴＣＰメッセージが転送されるので、メイン装置２５Ｍはそれを取り込んで呼処理する。
【００３０】
電話機２６Ｎは、電話装置２５Ｍに適合する電話機であり、本実施例ではボタン電話機である。
【００３１】
次に、図３に図２を併せ参照して、図２における電話機２６Ｎからキャリア・ネットワーク２１Ａ（以後、キャリアＡと略称する）を呼び出す場合の手順について説明する。ルータ２２ＡはキャリアＡで用いられるＳＩＰ（ＳＩＰ−Ａと呼称する）に基づくプログラムを実行するものである。キャリアＢに対しても同様であり、その説明は省略する。更に、図３では、発呼の手順のみが示されている。着呼の場合、図面の「応答」を「着呼」と読み替えて、着呼制御の際にはメイン装置、サブ装置及びルータとの間で所定の信号メッセージの転送があるが、主要メッセージの処理手順は同様であり、その説明は省略する。
【００３２】
電話機２６ＮがキャリアＡ対応の外線ボタン選択により電話回線で発呼（手順Ｓ１）した際、メイン装置２５Ｍでは、指定の発呼処理が実行される。その結果、メイン装置２５Ｍでは、ＬＡＮ２４を介してキャリアＡ対応のサブ装置２５Ａ宛てにその発呼のＴＣＰメッセージを送出（手順Ｓ２）する。サブ装置２５Ａは、ＬＡＮ２４を介した自己宛のＴＣＰメッセージを取り込み解析し、ＳＩＰ−Ａ対応のＳＩＰメッセージに変換してルータ２２Ａ宛てＬＡＮ２４に送出することにより発呼（手順Ｓ３）する。
【００３３】
発呼メッセージを受けたルータ２２ＡからＳＩＰを用いた呼出し音（ＲＢＴ）の信号メッセージが返送されるので、サブ装置２５Ａは、それをＬＡＮ２４から取り込み解析し、ＴＣＰメッセージによりメイン装置２５Ｍから電話機２６Ｎへ転送（手順Ｓ４）する。それにより、電話機２６Ｎが呼出し音を発生（手順Ｓ５）し、ユーザの聴取が可能となる。
【００３４】
次いで、サブ装置２５Ａは、着呼先の応答メッセージを受けたルータ２２Ａから応答のＳＩＰメッセージを受付け（手順Ｓ６）する。すなわち、サブ装置２５Ａは、ＬＡＮ２４から対応ＳＩＰ−ＡのＳＩＰメッセージを取り込み解析し、発呼元電話機２６Ｎの内線番号宛にＴＣＰによる応答メッセージを形成してＬＡＮ２４に送信（手順Ｓ７）する。
【００３５】
メイン装置２５Ｍは、ＬＡＮ２４上のＴＣＰによる応答メッセージを取り込み受付けしボタン電話機２６Ｎの応答処理を制御（手順Ｓ８）する。その結果、相手先との音声データの交換が可能となり、ユーザの通話が開始（手順Ｓ９）できる。
【００３６】
上記説明では一つのメイン装置であるが、複数のメイン装置それぞれが子機又は内線電話機を収容する形態も可能なことは明らかである。
【００３７】
このような構成により、ボタン電話装置の主装置の少なくとも一つをメイン装置として電話機の呼制御に使用し、別の主装置を、キャリア・ネットワークそれぞれをサポートする独自のプロトコルにより制御することができる。すなわち、各主装置はプログラムにより単機能化制御できる。メイン装置とサブ装置とをそれぞれの機能に特化して、構成を簡素化することができる。しかし、メイン装置とサブ装置との両方を主装置として同一ハードウェアに構成にし、ソフトウェアで機能分化した場合、そのシステム形成が容易であると共にその変更も容易である。
【実施例２】
【００３８】
本発明の実施例２として上記図２で説明した電話装置をボタン電話装置における同一構成の主装置とした場合について図４に示し、図２を併せ参照して説明する。図４は、ＬＡＮ２４に接続する主装置２５の実施の一形態をブロックで示す説明図である。
【００３９】
図示される主装置２５は、ＬＡＮ２４に接続する外線ＩＦ（インタフェース）部２５１とこの外線ＩＦ部２５１を介してＬＡＮ２４上のＴＣＰメッセージ又はＳＩＰメッセージを取り込んで解析し所定のメッセージに変換するメッセージ変換部２５０とを備える。メッセージ変換部２５０は、通信部２５２、ＴＣＰメッセージ解析部２５３、及びＳＩＰ対応部２５４を有する。主装置２５は、更に、ボタン電話装置として呼接続制御する呼制御部２５５と、ボタン電話機２６を収容接続する内線ＩＦ部２５６とを含む。
【００４０】
外線ＩＦ部２５１は、ＬＡＮ２４に接続してＬＡＮ２４に対してキャリア・ネットワークＡ，Ｂそれぞれに対応する外線ポートをＡポート及びＢポートそれぞれ複数ポートにより有するが、更に、必要に応じ、例えばＺポートというように割当てできる。これらの情報はメイン装置として稼動する際に一元管理されることが望ましい。また、複数ポートはメイン装置の場合、ボタン電話機の外線ボタンにより指定され、Ａポート及びＢポートはルータＡ，Ｂそれぞれに対応するものとする。サブ装置Ａでは、メイン装置及びルータＡを例えばＡポート及びＢポートそれぞれに対応させることができる。サブ装置Ｂも同様である。
【００４１】
通信部２５２は、一方を外線ＩＦ部２５１、他方をＴＣＰメッセージ解析部２５３及びＳＩＰ対応部２５４、それぞれに接続し、ＴＣＰ／ＩＰ及びＵＤＰ／ＩＰによる通信の際に使用されるＬＡＮ２４固有の通信モジュールである。すなわち、通信部２５２は、メイン装置の場合、ＬＡＮ２４を介してサブ装置Ａ，ＢとＴＣＰメッセージ解析部２５３との間のＴＣＰメッセージを授受する機能を有する。サブ装置の通信部２５２は、ＬＡＮ２４から取り込んだ自己宛てのＴＣＰメッセージをＴＣＰメッセージ解析部２５３へ送り、自己ＳＩＰ対応のＳＩＰメッセージをＳＩＰ対応部２５４へ送る。また、サブ装置の通信部２５２は、ＴＣＰメッセージ解析部２５３からのＴＣＰメッセージ、又はＳＩＰ対応部２５４からのＳＩＰメッセージそれぞれをＬＡＮ２４へ送る。
【００４２】
ＴＣＰメッセージ解析部２５３は、通信部２５２と、ＳＩＰ対応部２５４又は呼制御部２５５との間にあり、相互間で情報データを伝達するモジュールである。ＴＣＰメッセージ解析部２５３は、メイン装置では、通信部２５２からＴＣＰ／ＩＰで受信したＴＣＰメッセージを解析し、宛先内線番号に対して呼制御部２５５に転送する一方、呼制御部２５５から指示を受けた場合にはＴＣＰメッセージを作成して通信部２５２へ送出する。サブ装置の場合、ＴＣＰメッセージ解析部２５３は、通信部２５２からＴＣＰ／ＩＰで受信したＴＣＰメッセージを解析し、外線指定に対するＳＩＰ対応部２５４に転送する一方、ＳＩＰ対応部２５４から指示を受けた場合にはＴＣＰメッセージを作成して通信部２５２へ送出する。
【００４３】
ＳＩＰ対応部２５４は、サブ装置で使用され、通信部２５２から取り込んだＳＩＰメッセージをＳＩＰにより解析するモジュールであり、ＴＣＰメッセージ解析部２５３を介して解析した結果を通信部２５２へ転送する。ＳＩＰ対応部２５４は、一つのキャリア・ネットワーク（例えば、キャリアＡ）対応のＳＩＰを用いるので、ＬＡＮ２４を介して送出されたＳＩＰメッセージは対応するルータ（Ａ）で取り込まれる。
【００４４】
呼制御部２５５は、メイン装置で使用され、内線ＩＦ部２５６を介してボタン電話機２６から受ける情報に基づき発呼又は着呼のような呼制御を実行するモジュールである。すなわち、呼制御部２５５は、ＴＣＰメッセージ解析部２５３とインタフェースして、ＬＡＮ２４へ送出のＴＣＰメッセージを作成し、また、ＬＡＮ２４からのＴＣＰメッセージの解析結果を受けて所定の呼制御がボタン電話機２６に対して実行される。
【００４５】
上記説明では外線ポートの選択がボタン電話機の外線ボタンによるとしたが、電話主装置が内線電話機又は子機から受けるダイヤル番号を判定して選択することもできる。このような構成では、ボタン電話装置以外の電話交換装置にも適用可能である。また、ボタン電話機が内線ポートと直結されているが、ボタン電話機と内線ポートとは一つのバス又はＬＡＮに接続される構成でもよい。更に、上記ＬＡＮと共用することもできる。この共用の場合、ボタン電話機がＩＰ電話機であってもよい。
【００４６】
このような構成のため、ハードウェアを同一とする複数の主装置それぞれに呼制御プログラム又は一つのキャリア・ネットワーク対応プロトコルを用いたプログラムのような単体プログラムを搭載してシステムを形成する場合、各主装置は同一構造なので設備設計が容易であるのみならず、ソフトウェアも単体構造で搭載できるのでシステム設計が簡易化され容易である。
【実施例３】
【００４７】
本発明の実施例３として図５に図４を併せ参照し、上記図４で説明した主装置をメイン装置とし、メイン装置で発呼を受付けの場合のプログラム制御について説明する。着呼の場合は、従来と同様の手順でプログラム制御できるのでその説明は省略する。
【００４８】
まず、呼制御部２５５は、ダイヤル番号と外線ボタンとにより内線ＩＦ部２５６を介して外線を指定した発呼をボタン電話機２６から受付け（手順Ｓ１１）した場合、その情報をＴＣＰメッセージ解析部２５３へ送る。ＴＣＰメッセージ解析部２５３は、キャリアＡのポート指定（手順Ｓ１２のＹＥＳ）の場合、ＴＣＰを用いてサブ装置Ａ宛てに発呼メッセージを作成して通信部２５２に送る。通信部２５２は、作成されたＰＣＴメッセージを外線ＩＦ部２５１のＡポートからＬＡＮ２４に送出（手順Ｓ１３）する。このＰＣＴメッセージはサブ装置Ａからキャリア・ネットワークＡに転送される。
【００４９】
その結果、ＬＡＮ２４上にサブ装置ＡからＴＣＰによるＲＢＴ（呼出し音）発生のための信号メッセージが送出される。通信部２５２がＬＡＮ２４からＲＢＴメッセージを受付け（手順Ｓ１４のＹＥＳ）した際には、ＴＣＰメッセージ解析部２５３がそれを解析して呼制御部２５５に転送する。呼制御部２５５は、発呼元ボタン電話機２６にＲＢＴメッセージを送出（手順Ｓ１５）して着呼先からの応答メッセージの受付け(手順Ｓ１６)を待つ。
【００５０】
被呼者応答に際し、ＬＡＮ２４上にサブ装置ＡからＴＣＰによる応答メッセージが送出される。従って、上記手順Ｓ１４の「ＹＥＳ」により、通信部２５２がＬＡＮ２４から応答メッセージを受付けした際には、ＴＣＰメッセージ解析部２５３がそれを解析して呼制御部２５５に転送する。呼制御部２５５は、発呼元ボタン電話機２６にＲＢＴの送出を停止すると共に応答制御（手順Ｓ１７）し、ボタン電話システム内の通信プロトコルに従って、例えば、ＩＰパケットによる音声データを相互転送するというような通信制御 (手順Ｓ１８)を行う。
【００５１】
上記手順Ｓ１２が「ＮＯ」で、指定がＢポート（手順Ｓ２１のＹＥＳ）の場合、ＴＣＰメッセージ解析部２５３は、ＴＣＰを用いてサブ装置Ｂ宛てに発呼メッセージを作成して通信部２５２に送る。通信部２５２は、作成されたＰＣＴメッセージを外線ＩＦ部２５１のＢポートからＬＡＮ２４に送出（手順Ｓ２２）する。上記手順Ｓ２１が「ＮＯ」で、指定がＢポートでもなく、更に他のポートにも当たらない場合、ＴＣＰメッセージ解析部２５３は該当宛先キャリアなしとする所定の処理（手順Ｓ２３）により手順を終了する。
【００５２】
上述したように、メイン装置は、同一ハードウェアではＳＩＰ対応部の機能は稼動しないが、外線ポートの選択以外、従来の電話装置とほとんど変更なしに対応できる。
【実施例４】
【００５３】
本発明の実施例４として図６に図４を併せ参照し、上記図４で説明した主装置をサブ装置とした場合のプログラム制御について説明する。
【００５４】
まず、サブ装置では、外線ＩＦ部２５１がＬＡＮ２４のメッセージをモニタし、自己宛のメッセージを取り込み受付け（手順Ｓ３１）する。それがＰＣＴメッセージ（手順Ｓ３２のＹＥＳ）の場合、通信部２５２からＴＣＰメッセージ解析部２５３に送られ、ＴＣＰメッセージ解析部２５３がそれを解析（手順Ｓ３３）する。次いで、その結果がＳＩＰ対応部２５４に送られ、対応するＳＩＰメッセージに作成（手順Ｓ３４）される。作成されたＳＩＰメッセージは通信部２５２から対応するルータに宛てて送出（手順Ｓ３５）される。
【００５５】
すなわち、上述したように、メイン装置は、発呼の際、例えばキャリアＡのポート指定の場合、ＴＣＰを用いてサブ装置Ａ宛てに発呼メッセージを作成し、作成されたＰＣＴメッセージをＡポートからＬＡＮ２４に送出する。従って、それが発呼メッセージの場合、ＴＣＰメッセージ解析部２５３はＳＩＰ対応部２５４にその情報を伝える。ＳＩＰ対応部２５４は宛先キャリアに対応するＳＩＰを用いて発呼のＳＩＰメッセージに作成し、サブ装置Ａでは、対応するルータＡに宛てて送出する。着呼の場合の応答メッセージ、また、メイン装置の電話機からルータ宛の音声データが同様に変換されかつ転送される。
【００５６】
一方、上記手順Ｓ３２が「ＮＯ」でＳＩＰメッセージを受付けの際には、通信部２５２からＳＩＰ対応部２５４に送られ、ＳＩＰ対応部２５４がそれを解析（手順Ｓ３６）する。次いで、その結果がＴＣＰメッセージ解析部２５３に送られ、対応するＴＣＰメッセージに作成（手順Ｓ３７）される。作成されたＴＣＰメッセージは通信部２５２からメイン装置の対応するポートに宛てて送出（手順Ｓ３８）される。従って、発呼の際のＲＢＴ信号メッセージ及び応答メッセージ、着呼の際の着呼メッセージ、並びに、ルータからメイン装置の電話機宛の音声データはこのように変換されかつ転送される。
【００５７】
このように、サブ装置では呼制御部の機能は稼動しないが、メッセージの取込み及びその解析並びにその送出という単純な機能のみを実行するので、そのプログラム制御は単純かつ簡単である。
【産業上の利用可能性】
【００５８】
ボタン電話装置の主装置が、同一ハードウェアにより構成され、電話機を接続して呼処理するメイン装置と、キャリア・ネットワーク毎のＳＩＰを用いるサブ装置とを単一プログラムで制御することにより、一つの単純な電話装置システムで容易に複数のキャリアに対応することが可能となる。従って、家庭内又は企業内の小規模電話交換装置で、複数のキャリアと契約する場合の電話交換システムとして、設備設計の容易さ、かつシステム設計の簡易さが必要な用途に適用できる。
【００５９】
更に、メイン装置で内線ポートをＬＡＮと通信部とに接続し、ＬＡＮに接続されるＩＰ電話機がＬＡＮ対応のプロトコルを用いる場合、ＩＰ電話機からもメイン装置からサブ装置を介していずれのキャリア・ネットワークへも直接アクセスが可能となり、その適用範囲は広い。
【図面の簡単な説明】
【００６０】
【図１】参照される電話交換システムとしてＳＩＰ内線網の一例をブロックで示した説明図である。
【図２】本発明による電話交換システムの実施の一形態をブロックで示した説明図である。（実施例１）
【図３】図２における電話交換システムの主要動作手順の実施の一形態をフローチャートで示した説明図である。（実施例１）
【図４】図２における電話装置の実施の一形態をボタン電話装置の主装置によりブロックで示した説明図である。（実施例２）
【図５】図４における電話装置のメイン装置における発呼動作手順の実施の一形態をフローチャートで示した説明図である。（実施例３）
【図６】図４における電話装置のサブ装置におけるメッセージ受付けに対する動作手順の実施の一形態をフローチャートで示した説明図である。（実施例４）
【符号の説明】
【００６１】
２１Ａ、２１Ｂ    キャリア・ネットワーク
２２Ａ、２２Ｂ    ルータ
２３Ａ    ＩＰ電話機
２４    ＬＡＮ
２５    主装置
２５Ａ、２５Ｂ    電話装置（サブ装置）
２５Ｍ    電話装置（メイン装置）
２６、２６Ｎ    電話機
２５０    メッセージ変換部
２５１    外線ＩＦ部
２５２    通信部
２５３    ＴＣＰメッセージ解析部
２５４    ＳＩＰ対応部
２５５    呼制御部
２５６    内線ＩＦ部
【図１】
2008131465.tif 000003
【図２】
2008131465.tif 000004
【図３】
2008131465.tif 000005
【図４】
2008131465.tif 000006
【図５】
2008131465.tif 000007
【図６】
2008131465.tif 000008